(57)【特許請求の範囲】
【請求項１】
デュアルオープン式暗証番号錠であって、錠筐体、ダイヤルモジュール、駆動モジュール及び物件を施錠するためのデッドボルトを含み、前記デッドボルト、前記駆動モジュール及び前記ダイヤルモジュールは錠筐体に取り付けられ、前記デッドボルトは前記駆動モジュールに制御され、前記駆動モジュールは前記ダイヤルモジュールに制御されて錠を開閉し、
前記ダイヤルモジュールはブラケット、センターロッド及び２つ以上のダイヤルを含み、各前記ダイヤルにはインナースリーブが貫設されており、且つ前記ダイヤルは対応する前記インナースリーブと共に回転し、前記インナースリーブには前記センターロッドが通されており、前記ブラケットの底部には弾性部材が設けられており、前記ダイヤルに正確な暗証番号を入力すると、前記弾性部材が前記ブラケットを押し上げて前記駆動モジュールに対する制限を解除し、
前記ブラケットの頂部には係合突起が設けられており、前記ダイヤルには第１位置合わせ溝が設けられており、前記係合突起が前記第１位置合わせ溝の位置と合って嵌入されると第１コレクト暗証番号が形成され、
前記インナースリーブには第２位置合わせ溝が設けられており、前記デュアルオープン式暗証番号錠はさらに暗証番号切替ボタンを含み、前記暗証番号切替ボタンを操作すると前記ブラケットの前記係合突起が連動して前記インナースリーブと位置を合わせることができ、前記係合突起が前記第２位置合わせ溝の位置と合って嵌入されると第２コレクト暗証番号が形成されることを特徴とする、デュアルオープン式暗証番号錠。
【請求項２】
前記デュアルオープン式暗証番号錠には識別子が設けられており、モバイル端末が前記識別子の情報を読み取ってプロセッサに送信し、前記プロセッサが受信した情報に基づいて前記第２コレクト暗証番号を前記モバイル端末に送信することを特徴とする、請求項１に記載のデュアルオープン式暗証番号錠。
【請求項３】
前記暗証番号切替ボタンには傾斜した押進用当接部が設けられており、前記ブラケットには傾斜した受力部が設けられており、前記押進用当接部が前記受力部に当接することで前記ブラケットを連動して横方向に移動させることを特徴とする、請求項１に記載のデュアルオープン式暗証番号錠。
【請求項４】
前記弾性部材は昇降ブロック及び支持バネを含み、前記昇降ブロックは前記ブラケットを押さえており、前記支持バネは前記昇降ブロックを押し上げており、前記昇降ブロックには前記駆動モジュールを押さえるためのリミット部が設けられており、前記ダイヤルに正確な暗証番号を入力すると、前記支持バネが前記昇降ブロックを押動して前記ブラケットが上方向に移動し、前記リミット部と前記駆動モジュールがずれることで解錠させることを特徴とする、請求項１に記載のデュアルオープン式暗証番号錠。
【請求項５】
前記ブラケットの片側には前記錠筐体にヒンジ接続された回転軸が設けられており、前記昇降ブロックは前記ブラケットのもう一方の側を押さえており、前記回転軸には前記ブラケットに横方向の復元力を加える戻しバネが環装されていることを特徴とする、請求項４に記載のデュアルオープン式暗証番号錠。
【請求項６】
前記駆動モジュールは駆動板及び開錠ボタンを含み、前記駆動板の一端は前記デッドボルトを押さえており、もう一端は前記昇降ブロックからの制限を受けることができ、前記ダイヤルに正確な暗証番号を入力すると、前記開錠ボタンが前記駆動板を連動して移動することができ、それによって開錠され、前記駆動モジュールはさらに、前記駆動板に対して前記デッドボルトの方向に付勢力を加えるための戻しバネを含むことを特徴とする、請求項４に記載のデュアルオープン式暗証番号錠。
【請求項７】
前記デュアルオープン式暗証番号錠はさらにガイドストッパー及び位置規制用バネを含み、前記ストッパーと前記昇降ブロックとの間は斜面により係合しており、前記ガイドストッパーは前記位置規制用バネによって前記昇降ブロックに弾性的に当接していることを特徴とする、請求項６に記載のデュアルオープン式暗証番号錠。
【請求項８】
前記デュアルオープン式暗証番号錠はさらに前記錠筐体に固定された固定成形体を含み、前記ブラケットは前記固定成形体に取り付けられ、前記駆動板は一定方向で前記固定成形体に通されており、前記昇降ブロックは前記固定成形体中に嵌め込まれていることを特徴とする、請求項６に記載のデュアルオープン式暗証番号錠。
【請求項９】
前記錠筐体は共に内部空洞を形成する錠底板及び筐体本体を含み、前記錠底板と前記筐体本体との間はねじで固定接続されていることを特徴とする、請求項１に記載のデュアルオープン式暗証番号錠。
【発明の詳細な説明】
【技術分野】
【０００１】
本発明は施錠具の技術分野に関し、具体的にはデュアルオープン式暗証番号錠に関するものである。
【背景技術】
【０００２】
暗証番号錠には一般的にダイヤルモジュールが設けられており、ユーザーがダイヤルモジュールのダイヤルを正確な暗証番号の位置まで回転させると暗証番号錠が解錠される。暗証番号錠は、鍵の携帯を不要とし、且つ開錠番号はいつでも変更可能であり、非常に便利で秘密保持性が高く、安全性に優れている。従来の暗証番号錠のダイヤルモジュールでは、暗証番号を再設定していない場合、１組の暗証番号でしか開錠できず、その暗証番号を忘れると開錠できなくなり、鍵全体の使用ができなくなることさえある。また従来の暗証番号錠は、施錠対象物件を二人の管理者が単独で管理する場合など、特殊な状況における使用条件に応えることができない。つまり、１つの錠を二人が共同で単独に使用しており、そのうちの一人が暗証番号を再設定した場合、もう一人は新しい暗証番号を知らなければ開錠することができない。また市場では、ダイヤルモジュールとキーシリンダーの開錠機能を同時に有する錠も存在するが、キーシリンダーは安全性が低い。
【発明の概要】
【発明が解決しようとする課題】
【０００３】
本発明は、以上のような従来技術に存在する技術的課題に鑑み、２組の暗証番号の各々が１つのダイヤルモジュールを通して単独に開錠することができる、デュアルオープン式暗証番号錠を提供することを目的としている。
【０００４】
上記目的を達成するために、本発明は、以下の技術案を提供する。
【課題を解決するための手段】
【０００５】
デュアルオープン式暗証番号錠であって、錠筐体、ダイヤルモジュール、駆動モジュール及び物件を施錠するためのデッドボルトを含み、デッドボルト、駆動モジュール及びダイヤルモジュールは錠筐体に取り付けられ、デッドボルトは駆動モジュールに制御され、駆動モジュールはダイヤルモジュールに制御されて錠を開閉する。ダイヤルモジュールはブラケット、センターロッド及び２つ以上のダイヤルを含み、各ダイヤルにはインナースリーブが貫設されており、且つダイヤルは対応するインナースリーブと共に回転し、インナースリーブにはセンターロッドが通されており、ブラケットの底部には弾性部材が設けられており、ダイヤルに正確な暗証番号を入力すると、弾性部材がブラケットを押し上げて駆動モジュールに対する制限を解除する。ブラケットの頂部には係合突起が設けられており、ダイヤルには第１位置合わせ溝が設けられており、係合突起が第１位置合わせ溝の位置と合って嵌入されると第１コレクト暗証番号が形成され、インナースリーブには第２位置合わせ溝が設けられており、デュアルオープン式暗証番号錠はさらに暗証番号切替ボタンを含み、暗証番号切替ボタンを操作するとブラケットの係合突起が連動してインナースリーブと位置を合わせることができ、係合突起が第２位置合わせ溝の位置と合って嵌入されると第２コレクト暗証番号が形成される。
【０００６】
本発明のデュアルオープン式暗証番号錠のさらなる改善点として、デュアルオープン式暗証番号錠には識別子が設けられており、モバイル端末が識別子の情報を読み取ってプロセッサに送信し、プロセッサが受信した情報に基づいて第２コレクト暗証番号をモバイル端末に送信する。
【０００７】
本発明のデュアルオープン式暗証番号錠のさらなる改善点として、暗証番号切替ボタンには傾斜した押進用当接部が設けられており、ブラケットには傾斜した受力部が設けられており、押進用当接部が受力部に当接することでブラケットを連動して横方向に移動させる。
【０００８】
本発明のデュアルオープン式暗証番号錠のさらなる改善点として、弾性部材は昇降ブロック及び支持バネを含んでいる。昇降ブロックはブラケットを押さえており、支持バネは昇降ブロックを押し上げて、昇降ブロックには駆動モジュールを押さえるためのリミット部が設けられている。ダイヤルが正確な暗証番号を入力すると、支持バネが昇降ブロックを押動してブラケットが上方向に移動し、リミット部と駆動モジュールがずれることで解錠させる。
【０００９】
本発明のデュアルオープン式暗証番号錠のさらなる改善点として、ブラケットの片側には錠筐体にヒンジ接続された回転軸が設けられており、昇降ブロックはブラケットのもう一方の側を押さえて、回転軸にはブラケットに横方向の復元力を加える戻しバネが環装されている。
【００１０】
本発明のデュアルオープン式暗証番号錠のさらなる改善点として、駆動モジュールは駆動板及び開錠ボタンを含み、駆動板の一端はデッドボルトを押さえており、もう一端は昇降ブロックからの制限を受けることができる。ダイヤルが正確な暗証番号を入力すると、開錠ボタンが駆動板を連動して移動することができ、それによって開錠され、駆動モジュールはさらに、駆動板に対してデッドボルトの方向に付勢力を加えるための戻しバネを含む。
【００１１】
本発明のデュアルオープン式暗証番号錠のさらなる改善点として、デュアルオープン式暗証番号錠はさらにガイドストッパー及び位置規制用バネを含み、ストッパーと昇降ブロックとの間は斜面により係合しており、ガイドストッパーは位置規制用バネによって昇降ブロックに弾性的に当接している。
【００１２】
本発明のデュアルオープン式暗証番号錠のさらなる改善点として、デュアルオープン式暗証番号錠はさらに錠筐体に固定された固定成形体を含み、ブラケットは固定成形体に取り付けられ、駆動板は一定方向で固定成形体に通されており、昇降ブロックは固定成形体中に嵌め込まれている。
【００１３】
本発明のデュアルオープン式暗証番号錠のさらなる改善として、錠筐体は共に内部空洞を形成する錠底板及び筐体本体を含み、錠底板と筐体本体との間はねじで固定接続されている。
【発明の効果】
【００１４】
従来技術と比較した場合、本発明のデュアルオープン式暗証番号錠は、ブラケットの頂部に係合突起を設けており、ダイヤルに第１位置合わせ溝を設けており、インナースリーブに第２位置合わせ溝を設けており、係合突起が第１位置合わせ溝の位置と合って嵌入されると第１コレクト暗証番号が形成され、係合突起が第２位置合わせ溝の位置と合って嵌入されると第２コレクト暗証番号が形成され、暗証番号切替ボタンを操作すればブラケットの係合突起が連動し、インナースリーブの位置に合わせるか又はダイヤルの位置に合わせることができる。実際の使用においては、第１コレクト暗証番号及び第２コレクト暗証番号は単独で使用することができ、暗証番号切替ボタンを操作してブラケットを対応する位置まで連動させて、ダイヤルに対応する正確な暗証番号を入力すると、弾性部材がブラケットを押し上げて駆動モジュールに対する制限を解除することで解錠され、２組の暗証番号の各々が１つのダイヤルモジュールを通して単独に開錠するという条件を適えることができるので、適応範囲がより広くなる。
【００１５】
また、そのうちの第１コレクト暗証番号は通常の使用者が設定して使用する常用暗証番号のようなものとする。第２コレクト暗証番号は固定番号であり、指定の人員がモバイル端末で走査して錠本体の固有識別子を取得することで開錠の目的が達成され、遠隔保守や遠隔開錠の目的を実現し、指定の人員が開錠した時にバックグラウンド管理の機能を果たすことができ、従来のキーシリンダーに暗証番号を追加した組み合わせにおける、キーシリンダーの安全性が低いという欠点が解決される。
【図面の簡単な説明】
【００１６】
【図１】実施例における暗証番号錠の立体図である。
【図２】実施例における暗証番号錠の筐体本体を見えなくした後の立体図である。
【図３】図２の固定成形体を見えなくした後の立体図である。
【図４】実施例における１つのダイヤルに１つのインナースリーブを嵌め込んだ立体図である。
【図５】実施例におけるブラケットの立体図である。
【発明を実施するための形態】
【００１７】
以下、本発明を実施例及び図に基づいて詳しく説明する。
【００１８】
図１〜図５に示す通り、本実施例のデュアルオープン式暗証番号錠は、錠筐体１、ダイヤルモジュール２、駆動モジュール４及び物件を施錠するための２つのデッドボルト５を含み、錠筐体１は共に内部空洞を形成する錠底板１１及び筐体本体１２を含み、錠底板１１と筐体本体１２との間はねじで固定接続され、デッドボルト５、駆動モジュール４及びダイヤルモジュール２は錠筐体１に取り付けられ、デッドボルト５は駆動モジュール４に制御され、駆動モジュール４はダイヤルモジュール２に制御されて錠を開閉する。具体的には、ダイヤルモジュール２はブラケット２１、センターロッド２３及び３つのダイヤル２４を含み、ダイヤル２４の一部分は錠筐体１から外部に露出しており、使用者が操作して正確な暗証番号を入力する。各ダイヤル２４にはインナースリーブ２５が貫設されており、且つダイヤル２４は対応するインナースリーブ２５と共に回転し、センターロッド２３はインナースリーブ２５に可動的に通されており、センターロッド２３は３つのインナースリーブ２５を繋げるためのみに用いられ、錠の開閉機能は果たさない。ブラケット２１の片側には錠筐体１にヒンジ接続された回転軸２１１が設けられており、回転軸２１１にはブラケット２１に横方向の復元力を加える戻しバネ２２が環装されている。ブラケット２１のもう一方の側の底部には弾性部材３が設けられており、ダイヤル２４に正確な暗証番号を入力すると、弾性部材３がブラケット２１を押し上げて駆動モジュール４に対する制限を解除する。ブラケット２１には４本の横梁２１２が設けられており、各横梁２１２の頂部にはＶ字形の係合突起２１３が設けられており、ダイヤル２４の側部には環状突起２４１が設けられており、環状突起２４１の外側にはＶ字形の第１位置合わせ溝２４１１が設けられており、係合突起２１３が第１位置合わせ溝２４１１の位置と合って嵌入されると第１コレクト暗証番号が形成される。インナースリーブ２５にはＶ字形の第２位置合わせ溝２５１が設けられており、デュアルオープン式暗証番号錠はさらに暗証番号切替ボタン６を含み、暗証番号切替ボタン６を操作するとブラケット２１の係合突起２１３が連動してインナースリーブ２５の位置に合わせることができ、係合突起２１３が第２位置合わせ溝２５１の位置と合って嵌入されると第２コレクト暗証番号が形成される。
【００１９】
実際の使用においては、第１コレクト暗証番号及び第２コレクト暗証番号は単独で使用することができ、第１コレクト暗証番号を用いて開錠したい場合には、暗証番号切替ボタン６を操作してブラケット２１の係合突起２１３を連動させてダイヤル２４の環状突起２４１の位置に合わせてから、ダイヤル２４を第１コレクト暗証番号まで回転させ、ブラケット２１の係合突起２１３を第１位置合わせ溝２４１１の位置と合わせて嵌入させると、ブラケット２１が上方向に移動し、弾性部材３を上の空いたスペースに移動させて駆動モジュール４に対する制限を解除することで解錠される。第２コレクト暗証番号を用いて開錠したい場合には、暗証番号切替ボタン６を操作してブラケット２１の係合突起２１３を連動させてインナースリーブ２５の位置に合わせてから、ダイヤル２４を第２コレクト暗証番号まで回転させて、ブラケット２１の係合突起２１３をインナースリーブ２５の第２位置合わせ溝２５１の位置と合わせて嵌入させると、同様の原理で弾性部材３がブラケット２１を押し上げて駆動モジュール４に対する制限を解除し、デッドボルト５及び駆動モジュール４が右方向に移動して解錠することができる。要約すると、本実施例の暗証番号錠は、２組の正確な暗証番号の各々が１つのダイヤルモジュール２を通して単独に開錠するという条件を適えることができるので、適応範囲がより広くなり、例えば施錠対象物件を二人の管理者が単独で管理しており、１つの錠を二人が共同で単独に使用している場合、二人の管理者は単独で暗証番号を設定して管理することができる。
【００２０】
具体的には、暗証番号切替ボタン６には二次元コードが設けられており、その二次元コードを走査した場合のみ第２コレクト暗証番号を取得することができる。使用者が第１コレクト暗証番号を忘れた場合には、二次元コードを走査することでプロセッサから第２コレクト暗証番号を取得することができる。又は、税関を通る場合などの特殊な環境においては、二次元コードを走査して暗証番号を取得することで開錠することもでき、管理面で都合が良い。実際、二次元コードはバーコード又は電子タグなどの他の識別子に変更することもでき、モバイル端末が識別子の情報を読み取ってプロセッサに送信し、プロセッサが受信した情報に基づいて第２コレクト暗証番号をモバイル端末に送信する。そのうち、第１コレクト暗証番号は通常の使用者のために設定して使用する常用暗証番号のようなものとする。第２コレクト暗証番号は固定番号であり、指定の人員がモバイル端末で走査して錠本体の固有識別子を取得することで開錠の目的が達成され、遠隔保守や遠隔開錠の目的を実現し、指定の人員が開錠した時にバックグラウンド管理の機能を果たすことができ、従来のキーシリンダーに暗証番号を追加した組み合わせにおける、キーシリンダーの安全性が低いという欠点が解決される。
【００２１】
具体的には、暗証番号切替ボタン６には傾斜したＶ字形の押進用当接部６１が設けられており、ブラケット２１には傾斜したＶ字形の受力部２１４が設けられており、押進用当接部６１は受力部２１４に当接している。暗証番号切替ボタン６を操作してブラケット２１が連動し、左方向に横移動したとき、ブラケット２１がダイヤル２４か又はインナースリーブ２５から横方向に押さえられている場合には、暗証番号切替ボタン６が引き続きブラケット２１の受力部２１４へ左向きに加力して、ブラケット２１が下向きに移動するよう付勢する。これにより、ブラケット２１が横方向に動かなくなるのを防ぎ、暗証番号の切り換えがスムーズに行えるように確保することができる。
【００２２】
具体的には、弾性部材３は昇降ブロック３１及び支持バネ３２を含み、昇降ブロック３１はブラケット２１の片側の底部を押さえており、支持バネ３２は昇降ブロック３１を押し上げており、昇降ブロック３１には駆動モジュール４を押さえるためのリミット部３１１が設けられており、ダイヤル２４に正確な暗証番号を入力すると、支持バネ３２が昇降ブロック３１を押動してブラケット２１が上方向に移動し、リミット部３１１と駆動モジュール４がずれることで解錠させる。
【００２３】
具体的には、駆動モジュール４は駆動板４１及び開錠ボタン４２を含み、駆動板４１の一端はデッドボルト５を押さえており、もう一端は昇降ブロック３１からの制限を受けることができ、ダイヤル２４に正確な暗証番号を入力すると、開錠ボタン４２が駆動板４１を連動して移動することができ、それによって開錠され、駆動モジュール４はさらに、駆動板４１に対してデッドボルト５の方向に付勢力を加えるための戻しバネ４３を含み、開錠ボタン４２を離すとデッドボルト５を復帰させることができる。
【００２４】
具体的には、暗証番号錠はさらにガイドストッパー８及び位置規制用バネ９を含み、ストッパーと昇降ブロック３１との間は斜面により係合しており、ガイドストッパー８は位置規制用バネ９によって昇降ブロック３１に弾性的に当接しており、その作用は、昇降ブロック３１が上下にだけ移動することができ、横方向には移動できないように補助するものである。
【００２５】
具体的には、デュアルオープン式暗証番号錠はさらに錠筐体１に固定された固定成形体７を含み、ブラケットは固定成形体７に取り付けられ、駆動板４１は一定方向で固定成形体７に通されており、昇降ブロック３１は固定成形体７中に嵌め込まれており、組み立て易く、構造がよりコンパクトになる。
【００２６】
なお、以上の実施例は本発明の技術案を説明したものに過ぎず、本発明の保護範囲を限定するものではない。好ましい実施例を参照して本発明の詳細な説明を行ったとしても、当業者であれば、本発明の技術案の本質及び範囲から逸脱することなく、本発明の技術案に対する修正を行うか、又は均等物による置換を行うことができる。
【符号の説明】
【００２７】
１  錠筐体
１１  錠底板
１２  筐体本体
２  ダイヤルモジュール
２１  ブラケット
２１１  回転軸
２１２  横梁
２１３  係合突起
２１４  受力部
２２  戻しバネ
２３  センターロッド
２４  ダイヤル
２４１  環状突起
２４１１  第１位置合わせ溝
２５  インナースリーブ
２５１  第２位置合わせ溝
３  弾性部材
３１  昇降ブロック
３１１  リミット部
３２  支持バネ
４  駆動モジュール
４１  駆動板
４２  開錠ボタン
４３  戻しバネ
５  デッドボルト
６  暗証番号切替ボタン
６１  押進用当接部
７  固定成形体
８  ガイドストッパー
９  位置規制用バネ
【要約】      （修正有）【課題】２組の暗証番号の各々が１つのダイヤルモジュールを通して単独に開錠可能なデュアルオープン式暗証番号錠を提供する。【解決手段】錠筐体、ダイヤルモジュール、駆動モジュール及びデッドボルト５からなり、ダイヤル２４を操作して第１コレクト暗証番号を入力すると、ブラケット２１の係合突起をダイヤル２４の側部の環状突起の第１位置合わせ溝位置に合わせることができ、弾性部材がブラケット２１を押し上げ、駆動モジュールに対する制限を解除して解錠する。また、暗証番号切替ボタン６を操作するとブラケット２１の係合突起をインナースリーブ２５の位置に合わせることができ、第２コレクト暗証番号を入力すると、前記係合突起がインナースリーブ２５の第２位置合わせ溝の位置と合って嵌入され、弾性部材がブラケット２１を押し上げ、駆動モジュールに対する制限を解除して解錠する。【選択図】図２【図１】
0006803441.tif 000002
【図２】
0006803441.tif 000003
【図３】
0006803441.tif 000004
【図４】
0006803441.tif 000005
【図５】
0006803441.tif 000006